(57)【要約】  本発明は、ランダムアクセス方法、端末装置、及びネットワーク装置を開示し、該方法は、端末装置が複数のプリアンブルシーケンスから、端末装置がランダムアクセスを行うためのプリアンブルシーケンスをランダムに選択することと、端末装置が第１のメッセージをネットワーク装置に送信し、第１のメッセージはプリアンブルシーケンス、ランダムアクセス情報、及びランダムアクセス情報のサイズを指示するためのインデックスを含み、ランダムアクセス情報は端末装置がランダムアクセスイベントに基づいて送信した無線リソース制御ＲＲＣに関連する制御シグナリング又は送信したデータであることと、を含む。このように、ネットワーク装置は端末装置が異なるランダムアクセスイベントに基づいて送信した制御シグナリング又はデータのサイズを効果的に取得でき、かつ端末装置のランダムアクセスプロセスにおいてプリアンブルシーケンスの衝突が発生する確率を低減させる。
2020513172.tif 000002
【特許請求の範囲】
【請求項１】
ランダムアクセス方法であって、
端末装置は、複数のプリアンブルシーケンスから前記端末装置がランダムアクセスを行うためのプリアンブルシーケンスをランダムに選択することと、
前記端末装置は第１のメッセージをネットワーク装置に送信し、前記第１のメッセージは前記プリアンブルシーケンス、ランダムアクセス情報、及び前記ランダムアクセス情報のサイズを指示するためのインデックスを含み、前記ランダムアクセス情報は前記端末装置がランダムアクセスイベントに基づいて送信した無線リソース制御ＲＲＣに関連する制御シグナリング又は送信したデータであることと、を含むことを特徴とするランダムアクセス方法。
【請求項２】
前記ランダムアクセスは、
初期アクセスのためのＲＲＣ接続要求、セルハンドオーバの完了を指示するためのＲＲＣハンドオーバ確認情報、ＲＲＣ接続再確立を要求するためのＲＲＣ接続再確立要求、アップリンクデータ、及び、ダウンリンクデータに対するフィードバック情報のうちの少なくとも１種を含むことを特徴とする請求項１に記載の方法。
【請求項３】
前記ネットワーク装置が前記ランダムアクセス情報の受信に成功していない場合、
前記端末装置は、前記ネットワーク装置が前記インデックスに基づいて送信した、前記端末装置が前記ランダムアクセス情報を再送信するためのアップリンクリソース情報を含むランダムアクセスレスポンスＲＡＲを受信することと、
前記端末装置は前記ＲＡＲに基づき、前記ランダムアクセス情報を前記ネットワーク装置に再送信することと、をさらに含むことを特徴とする請求項１又は２に記載の方法。
【請求項４】
前記ネットワーク装置が前記ランダムアクセス情報の受信に成功した場合、
前記端末装置は、前記ネットワーク装置が前記第１のメッセージに基づいて送信した、前記ランダムアクセスイベントの完了を指示するためのフィードバックメッセージを受信することをさらに含むことを特徴とする請求項１又は２に記載の方法。
【請求項５】
前記端末装置が第１のメッセージをネットワーク装置に送信する前、
前記端末装置は、前記ランダムアクセス情報のサイズ及び複数のデータサイズと複数のインデックス値との間の対応関係を含む第１のマッピング関係に基づき、前記ランダムアクセス情報のサイズに対応する前記インデックスを確定することをさらに含むことを特徴とする請求項１〜４のいずれか１つに記載の方法。
【請求項６】
前記端末装置が前記ランダムアクセス情報のサイズに対応する前記インデックスを確定する前、
前記端末装置はネットワーク装置により送信された前記第１のマッピング関係を指示するための指示情報を受信することをさらに含むことを特徴とする請求項５に記載の方法。
【請求項７】
ランダムアクセス方法であって、
ネットワーク装置は、端末装置により送信された第１のメッセージを受信し、前記第１のメッセージはランダムアクセスのためのプリアンブルシーケンス、ランダムアクセス情報、及び前記ランダムアクセス情報のサイズを指示するためのインデックスを含み、前記ランダムアクセス情報は前記端末装置がランダムアクセスイベントに基づいて送信した無線リソース制御ＲＲＣに関連する制御シグナリング又は送信したデータであることと、
前記ネットワーク装置は前記端末装置により送信された前記ランダムアクセス情報の受信に成功するか否かを確定し、
前記ネットワーク装置は前記端末装置により送信された前記ランダムアクセス情報の受信に成功した場合、前記第１のメッセージに基づいて前記端末装置に前記ランダムアクセスイベントの完了を指示するためのフィードバックメッセージを送信し、又は、
前記ネットワーク装置は前記端末装置により送信された前記ランダムアクセス情報の受信に成功していない場合、前記端末装置が前記ランダムアクセス情報を再送信するためのアップリンクリソース情報を含むランダムアクセスレスポンスＲＡＲを前記端末装置に送信することと、を含むことを特徴とするランダムアクセス方法。
【請求項８】
前記ランダムアクセスは、
初期アクセスのためのＲＲＣ接続要求、セルハンドオーバの完了を指示するためのＲＲＣハンドオーバ確認情報、ＲＲＣ接続再確立を要求するためのＲＲＣ接続再確立要求、アップリンクデータ、及び、ダウンリンクデータに対するフィードバック情報のうちの少なくとも１種を含むことを特徴とする請求項７に記載の方法。
【請求項９】
前記ネットワーク装置が端末装置により送信された第１のメッセージを受信する前、
前記ネットワーク装置は複数のデータサイズと複数のインデックス値との間の対応関係を含む第１のマッピング関係を前記端末装置に送信し、前記端末装置が前記ランダムアクセス情報のサイズ及び第１のマッピング関係に基づき、前記ランダムアクセス情報のサイズに対応する前記インデックスを確定することをさらに含むことを特徴とする請求項７又は８に記載の方法。
【請求項１０】
端末装置であって、
複数のプリアンブルシーケンスから、前記端末装置がランダムアクセスを行うプリアンブルシーケンスをランダムに選択する処理ユニットと、
第１のメッセージをネットワーク装置に送信し、前記第１のメッセージは前記処理ユニットが選択した前記プリアンブルシーケンス、ランダムアクセス情報、及び前記ランダムアクセス情報のサイズを指示するためのインデックスを含み、前記ランダムアクセス情報は前記端末装置がランダムアクセスイベントに基づいて送信した無線リソース制御ＲＲＣに関連する制御シグナリング又は送信したデータである送信ユニットと、を備えることを特徴とする端末装置。
【請求項１１】
前記ランダムアクセスは、
初期アクセスのためのＲＲＣ接続要求、セルハンドオーバの完了を指示するためのＲＲＣハンドオーバ確認情報、ＲＲＣ接続再確立を要求するためのＲＲＣ接続再確立要求、アップリンクデータ、及び、ダウンリンクデータに対するフィードバック情報のうちの少なくとも１種を含むことを特徴とする請求項１０に記載の端末装置。
【請求項１２】
前記ネットワーク装置が前記ランダムアクセス情報の受信に成功していない場合、前記ネットワーク装置が前記インデックスに基づいて送信した、前記端末装置が前記ランダムアクセス情報を再送信するためのアップリンクリソース情報を含むランダムアクセスレスポンスＲＡＲを受信する受信ユニットをさらに備え、
前記端末装置は前記ＲＡＲに基づき、前記ランダムアクセス情報を前記ネットワーク装置に再送信することを特徴とする請求項１０又は１１に記載の端末装置。
【請求項１３】
前記ネットワーク装置が前記ランダムアクセス情報の受信に成功した場合、前記ネットワーク装置が前記第１のメッセージに基づいて送信した、前記ランダムアクセスイベントの完了を指示するためのフィードバックメッセージを受信する受信ユニットをさらに備えることを特徴とする請求項１０又は１１に記載の端末装置。
【請求項１４】
前記処理ユニットは、さらに、
前記端末装置が第１のメッセージをネットワーク装置に送信する前、前記ランダムアクセス情報のサイズ及び複数のデータサイズと複数のインデックス値との間の対応関係を含む第１のマッピング関係に基づき、前記ランダムアクセス情報のサイズに対応する前記インデックスを確定することを特徴とする請求項１０〜１３のいずれかに記載の端末装置。
【請求項１５】
前記受信ユニットは、さらに、
前記端末装置が前記ランダムアクセス情報のサイズに対応する前記インデックスを確定する前、ネットワーク装置により送信された、前記第１のマッピング関係を指示するための指示情報を受信することを特徴とする請求項１４に記載の端末装置。
【請求項１６】
ランダムにアクセスされるネットワーク装置であって、
端末装置により送信された第１のメッセージを受信し、前記第１のメッセージはランダムアクセスのためのプリアンブルシーケンス、ランダムアクセス情報、及び前記ランダムアクセス情報のサイズを指示するためのインデックスを含み、前記ランダムアクセス情報は前記端末装置がランダムアクセスイベントに基づいて送信した無線リソース制御ＲＲＣに関連する制御シグナリング又は送信したデータである受信ユニットと、
前記受信ユニットが前記端末装置により送信された前記ランダムアクセス情報の受信に成功したか否かを確定する処理ユニットと、
前記処理ユニットが、前記受信ユニットが前記端末装置により送信された前記ランダムアクセス情報の受信に成功したと確定した場合、前記第１のメッセージに基づいて前記ランダムアクセスイベントの完了を指示するためのフィードバックメッセージを前記端末装置に送信し、又は、
前記処理ユニットが、前記受信ユニットが前記端末装置により送信された前記ランダムアクセス情報の受信に成功していないと確定した場合、前記端末装置が前記ランダムアクセス情報を再送信するためのアップリンクリソース情報を含むランダムアクセスレスポンスＲＡＲを前記端末装置に送信する送信ユニットとを備えることを特徴とするネットワーク装置。
【請求項１７】
前記ランダムアクセスは、
初期アクセスのためのＲＲＣ接続要求、セルハンドオーバの完了を指示するためのＲＲＣハンドオーバ確認情報、ＲＲＣ接続再確立を要求するためのＲＲＣ接続再確立要求、アップリンクデータ、及び、ダウンリンクデータに対するフィードバック情報のうちの少なくとも１種を含むことを特徴とする請求項１６に記載のネットワーク装置。
【請求項１８】
前記送信ユニットは、さらに、
前記ネットワーク装置は端末装置により送信された第１のメッセージを受信する前、複数のデータサイズと複数のインデックス値との間の対応関係を含む第１のマッピング関係を前記端末装置に送信し、前記端末装置が前記ランダムアクセス情報のサイズ及び第１のマッピング関係に基づき、前記ランダムアクセス情報のサイズに対応する前記インデックスを確定することを特徴とする請求項１６又は１７に記載のネットワーク装置。
【発明の詳細な説明】
【技術分野】
【０００１】
本願の実施例は、無線通信分野に関し、具体的には、ランダムアクセス方法、端末装置、及びネットワーク装置に関する。
【背景技術】
【０００２】
５Ｇシステムでは、端末装置はランダムアクセスを行うときに、２ステップランダムアクセス（２−ｓｔｅｐ  ＲＡ、ランダムアクセス（Ｒａｎｄｏｍ  Ａｃｃｅｓｓ、「ＲＡ」と略称する））の方法を用いることができ、すなわち、ロングタームエボリューションシステム（Ｌｏｎｇ  Ｔｅｒｍ  Ｅｖｏｌｕｔｉｏｎ、「ＬＴＥ」と略称する）における４ステップランダムアクセス（４−ｓｔｅｐ  ＲＡ）プロセスにおけるメッセージ（Ｍｅｓｓａｇｅ、「Ｍｓｇ」と略称する）１、すなわちプリアンブルシーケンス（ｐｒｅａｍｂｌｅ）、及びＭｓｇ  ３をステップ１として送信する。４−ｓｔｅｐ  ＲＡのランダムアクセスプロセスにおいて、Ｍｓｇ  １及びＭｓｇ  ２が主にＴＡ値を取得するためにアップリンク同期を取得し、そのため、２−ｓｔｅｐ  ＲＡは、主に低電力アクセスポイント（ｓｍａｌｌ  ｃｅｌｌ）又は固定端末装置、及びその他のタイミングアドバンス（Ｔｉｍｅ  Ａｄｖａｎｃｅ、「ＴＡ」と略称する）を必要としない状況に適用する。
【０００３】
しかしながら、２−ｓｔｅｐ  ＲＡにおいて、基地局がｐｒｅａｍｂｌｅ又はＭｓｇ  ３の受信に成功していない可能性があり、その結果、ランダムアクセスが失敗し、基地局がｐｒｅａｍｂｌｅの受信のみに成功し、Ｍｓｇ  ３の受信に成功していないと、端末装置は４−ｓｔｅｐ  ＲＡにフォールバック（ｆａｌｌｂａｃｋ）して今回のランダムアクセスを引き続き完了する必要がある。したがって、如何に端末装置が２−ｓｔｅｐ  ＲＡ又は４−ｓｔｅｐ  ＲＡを自由に選択するかは、緊急に解決されるべき問題である。
【発明の概要】
【０００４】
本願の実施例は、ランダムアクセス方法、端末装置、及びネットワーク装置を提供し、端末装置が２ステップランダムアクセス方式又は４ステップランダムアクセス方式を柔軟的に選択して、ランダムアクセスを実現する。
【０００５】
第１の態様において、ランダムアクセス方法を提供し、前記方法は、端末装置が、複数のプリアンブルシーケンスから前記端末装置がランダムアクセスを行うためのプリアンブルシーケンスをランダムに選択することと、
前記端末装置が第１のメッセージをネットワーク装置に送信し、前記第１のメッセージは前記プリアンブルシーケンス、ランダムアクセス情報、及び前記ランダムアクセス情報のサイズを指示するためのインデックスを含み、前記ランダムアクセス情報は前記端末装置がランダムアクセスイベントに基づいて送信した無線リソース制御ＲＲＣに関連する制御シグナリング又は送信したデータであることと、を含むことを特徴とする。
【０００６】
従って、本願の実施例において、端末装置は、すべてのプリアンブルシーケンスから、１つのプリアンブルシーケンスをランダムに選択して２ステップランダムアクセスプロセスを行い、プリアンブルシーケンス及び異なるランダムアクセスイベントに対するランダムアクセス情報を送信するとともに、ネットワーク装置に該ランダムアクセス情報のサイズを指示することで、ネットワーク装置が端末装置が２ステップランダムアクセスから４ステップランダムアクセスにフォールバックするときに、該ランダムアクセス情報のサイズに基づいてアップリンクリソース権限付与を行い、端末装置が４ステップランダムアクセスにより該ランダムアクセス情報を再送信し、端末装置のランダムアクセスプロセスにおいてプリアンブルシーケンスの衝突が発生する確率を低減させる。
【０００７】
選択肢として、第１の態様の一つの実現方式において、前記ランダムアクセスは、初期アクセスのためのＲＲＣ接続要求、セルハンドオーバの完了を指示するためのＲＲＣハンドオーバ確認情報、ＲＲＣ接続再確立を要求するためのＲＲＣ接続再確立要求、アップリンクデータ、及び、ダウンリンクデータに対するフィードバック情報のうちの少なくとも１種を含む。
【０００８】
選択肢として、第１の態様の一つの実現方式において、前記ネットワーク装置が前記ランダムアクセス情報の受信に成功していない場合、前記方法は、前記端末装置が、前記ネットワーク装置が前記インデックスに基づいて送信した、前記端末装置が前記ランダムアクセス情報を再送信するためのアップリンクリソース情報を含むランダムアクセスレスポンスＲＡＲを受信することと、前記端末装置が前記ＲＡＲに基づき、前記ランダムアクセス情報を前記ネットワーク装置に再送信することと、をさらに含む。
【０００９】
選択肢として、第１の態様の一つの実現方式において、前記ネットワーク装置が前記ランダムアクセス情報の受信に成功した場合、前記方法は、前記端末装置が、前記ネットワーク装置が前記第１のメッセージに基づいて送信した、前記ランダムアクセスイベントの完了を指示するためのフィードバックメッセージを受信することをさらに含む。
【００１０】
選択肢として、第１の態様の一つの実現方式において、前記端末装置が第１のメッセージをネットワーク装置に送信する前、前記方法は、前記端末装置が、前記ランダムアクセス情報のサイズ及び複数のデータサイズと複数のインデックス値との間の対応関係を含む第１のマッピング関係に基づき、前記ランダムアクセス情報のサイズに対応する前記インデックスを確定することをさらに含む。
【００１１】
選択肢として、第１の態様の一一つの実現方式において、前記端末装置が前記ランダムアクセス情報のサイズに対応する前記インデックスを確定する前、前記方法は、前記端末装置がネットワーク装置により送信された前記第１のマッピング関係を指示するための指示情報を受信することをさらに含む。
【００１２】
第２の態様において、ランダムアクセス方法を提供し、前記方法は、ネットワーク装置が、端末装置により送信された第１のメッセージを受信し、前記第１のメッセージはランダムアクセスのためのプリアンブルシーケンス、ランダムアクセス情報、及び前記ランダムアクセス情報のサイズを指示するためのインデックスを含み、前記ランダムアクセス情報は前記端末装置がランダムアクセスイベントに基づいて送信した無線リソース制御ＲＲＣに関連する制御シグナリング又は送信したデータであることと、
前記ネットワーク装置が前記端末装置により送信された前記ランダムアクセス情報の受信に成功するか否かを確定し、
前記ネットワーク装置が前記端末装置により送信された前記ランダムアクセス情報の受信に成功した場合、前記第１のメッセージに基づいて前記端末装置に前記ランダムアクセスイベントの完了を指示するためのフィードバックメッセージを送信し、又は、
前記ネットワーク装置が前記端末装置により送信された前記ランダムアクセス情報の受信に成功していない場合、前記端末装置が前記ランダムアクセス情報を再送信するためのアップリンクリソース情報を含むランダムアクセスレスポンスＲＡＲを前記端末装置に送信することと、を含むことを特徴とする。
【００１３】
従って、本願の実施例において、端末装置は、すべてのプリアンブルシーケンスから、１つのプリアンブルシーケンスをランダムに選択して２ステップランダムアクセスプロセスを行い、プリアンブルシーケンス及び異なるランダムアクセスイベントに対するランダムアクセス情報を送信するとともに、ネットワーク装置に該ランダムアクセス情報のサイズを指示することで、ネットワーク装置が端末装置が２ステップランダムアクセスから４ステップランダムアクセスにフォールバックするときに、該ランダムアクセス情報のサイズに基づいてアップリンクリソース権限付与を行い、端末装置が４ステップランダムアクセスにより該ランダムアクセス情報を再送信する。
【００１４】
端末装置のランダムアクセスプロセスにおいてプリアンブルシーケンスの衝突が発生する確率を低減させる。
【００１５】
選択肢として、第２の態様の一つの実現方式において、前記ランダムアクセスは、初期アクセスのためのＲＲＣ接続要求、セルハンドオーバの完了を指示するためのＲＲＣハンドオーバ確認情報、ＲＲＣ接続再確立を要求するためのＲＲＣ接続再確立要求、アップリンクデータ、及び、ダウンリンクデータに対するフィードバック情報のうちの少なくとも１種を含む。
【００１６】
選択肢として、第２の態様の一つの実現方式において、前記ネットワーク装置が端末装置により送信された第１のメッセージを受信する前、前記方法は、前記ネットワーク装置が複数のデータサイズと複数のインデックス値との間の対応関係を含む第１のマッピング関係を前記端末装置に送信し、前記端末装置が前記ランダムアクセス情報のサイズ及び第１のマッピング関係に基づき、前記ランダムアクセス情報のサイズに対応する前記インデックスを確定することをさらに含む。
【００１７】
第３の態様において、端末装置を提供し、該端末装置は、上記第１の態様又は第１の態様の任意の選択可能な実現方式における端末装置の操作を実行できる。具体的には、該端末装置は、上記第１の態様又は第１の態様の任意の可能な実現方式における端末装置の操作を実行するためのモジュールユニットを備える。
【００１８】
第４の態様において、ネットワーク装置を提供し、該ネットワーク装置は、上記第２の態様又は第２の態様の任意の選択可能な実現方式におけるネットワーク装置の操作を実行できる。具体的には、該ネットワーク装置は、上記第２の態様又は第２の態様の任意の可能な実現方式におけるネットワーク装置の操作を実行するためのモジュールユニットを備える。
【００１９】
第５の態様において、端末装置を提供し、該端末装置は、内部接続通路を介して互に通信するプロセッサと、送受信機と、メモリと、を備える。該メモリが指令を記憶し、該プロセッサが該メモリに記憶されている指令を実行する。該プロセッサが該メモリに記憶されている指令を実行することにより、該端末装置が第１の態様又は第１の態様の任意の可能な実現方式における方法を実行し、又は該端末装置が第３の態様において提供される端末装置を実現する。
【００２０】
第６の態様において、ネットワーク装置を提供し、該ネットワーク装置は、内部接続通路を介して互いに通信するプロセッサと、送受信機と、メモリと、を備える。該メモリが指令を記憶し、該プロセッサが該メモリに記憶されている指令を実行する。該プロセッサが該メモリに記憶されている指令を実行することにより、該ネットワーク装置が第２の態様又は第２の態様の任意の可能な実現方式における方法を実行し、又は該ネットワーク装置が第４の態様において提供されるネットワーク装置を実現する。
【００２１】
第７の態様において、コンピュータ可読記憶媒体を提供し、前記コンピュータ可読記憶媒体にはネットワーク装置が上記第１の態様、及びその様々な実現方式におけるいずれかのランダムアクセス方法を実行するプログラムが記憶されている。
【００２２】
第８の態様において、コンピュータ可読記憶媒体を提供し、前記コンピュータ可読記憶媒体にはネットワーク装置が上記第２の態様、及びその様々な実現方式におけるいずれかのランダムアクセス方法を実行するプログラムが記憶されている。
【００２３】
第９の態様において、システムチップを提供し、該システムチップは、入力インタフェースと、出力インタフェースと、プロセッサと、メモリと、を備え、該プロセッサは該メモリに記憶されている指令を実行し、該指令が実行されるときに、該プロセッサが上記第１の態様及びその様々な実現方式におけるいずれかの方法を実現できる。
【００２４】
第１０の態様において、システムチップを提供し、該システムチップは、入力インタフェースと、出力インタフェースと、プロセッサと、メモリとを備え、該プロセッサは該メモリに記憶されている指令を実行し、該指令が実行されるときに、該プロセッサが上記第２の態様及びその様々な実現方式におけるいずれかの方法を実現できる。
【図面の簡単な説明】
【００２５】
【図１】図１は本願の実施例による適用シナリオの概略アーキテクチャ図である。
【図２】図２は従来技術の４ステップランダムアクセスのプロセスインタラクションを示す図である。
【図３】図３は従来技術の２ステップランダムアクセスのプロセスインタラクションを示す図である。
【図４】図４は２ステップランダムアクセスと４ステップランダムアクセスとの間でハンドオーバを行うプロセスインタラクションを示す図である。
【図５】図５は本願の実施例によるランダムアクセス方法のプロセスインタラクションを示す図である。
【図６】図６は本願の実施例によるランダムアクセス方法のプロセスインタラクションを示す図である。
【図７】図７は本願の実施例による端末装置の概略構成図である。
【図８】図８は本願の実施例によるネットワーク装置の概略構成図である。
【図９】図９は本願の実施例による端末装置の概略構成図である。
【図１０】図１０は本願の実施例によるネットワーク装置の概略構成図である。
【図１１】図１１は本願の実施例によるシステムチップの概略構成図である。
【発明を実施するための形態】
【００２６】
以下、図面を参照しながら、本願の実施例における技術案を説明する。
理解すべきなのは、本願の実施例の技術案は、様々な通信システム、たとえば、グローバル移動体通信（Ｇｌｏｂａｌ  Ｓｙｓｔｅｍ  ｏｆ  Ｍｏｂｉｌｅ  Ｃｏｍｍｕｎｉｃａｔｉｏｎ、「ＧＳＭ」と略称する）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称する）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称する）システム、長期進化型（Ｌｏｎｇ  Ｔｅｒｍ  Ｅｖｏｌｕｔｉｏｎ、「ＬＴＥ」と略称する）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称する）システム、ＬＴＥ時分割複信（Ｔｉｍｅ  Ｄｉｖｉｓｉｏｎ  Ｄｕｐｌｅｘ、「ＴＤＤ」と略称する）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称する）、及び将来の５Ｇ通信システム等に適用する。
【００２７】
本願は、端末装置に関連してそれぞれの実施例を説明する。端末装置は、ユーザ機器（Ｕｓｅｒ  Ｅｑｕｉｐｍｅｎｔ、「ＵＥ」と略称する）、アクセス端末、加入者ユニット、加入者局、移動局、移動台、遠隔局、遠隔端末、移動装置、ユーザ端末、端末、無線通信装置、ユーザエージェント又はユーザデバイスなどを指してもよい。アクセス端末は、セルラーホン、コードレス電話、セッション確立プロトコル（Ｓｅｓｓｉｏｎ  Ｉｎｉｔｉａｔｉｏｎ  Ｐｒｏｔｏｃｏｌ、「ＳＩＰ」と略称する）電話、ワイヤレスローカルループ（Ｗｉｒｅｌｅｓｓ  Ｌｏｃａｌ  Ｌｏｏｐ、「ＷＬＬ」と略称する）局、パーソナルデジタルアシスタント（Ｐｅｒｓｏｎａｌ  Ｄｉｇｉｔａｌ  Ａｓｓｉｓｔａｎｔ、「ＰＤＡ」と略称する）、無線通信機能を有するハンドヘルドデバイス、計算装置又は無線モデムに接続される他の処理装置、車載装置、ウェアラブルデバイス、将来の５Ｇネットワークにおける端末装置又は将来進化型の公衆陸上モバイルネットワーク（Ｐｕｂｌｉｃ  Ｌａｎｄ  Ｍｏｂｉｌｅ  Ｎｅｔｗｏｒｋ、「ＰＬＭＮ」と略称する）ネットワークにおける端末装置等であってもよい。
【００２８】
本願は、ネットワーク装置に関連して各実施例を説明する。ネットワーク装置は端末装置と通信する装置であってもよく、たとえば、ＧＳＭシステム又はＣＤＭＡにおける基地局（Ｂａｓｅ  Ｔｒａｎｓｃｅｉｖｅｒ  Ｓｔａｔｉｏｎ、「ＢＴＳ」と略称する）であってもよく、ＷＣＤＭＡシステムにおける基地局（ＮｏｄｅＢ、「ＮＢ」と略称する）であってもよく、また、ＬＴＥシステムにおける進化型基地局（Ｅｖｏｌｕｔｉｏｎａｌ  Ｎｏｄｅ  Ｂ、「ｅＮＢ」又は「ｅＮｏｄｅＢ」と略称する）であってもよく、又は該ネットワーク装置は、中継局、アクセスポイント、車載装置、ウェアラブル装置及び将来の５Ｇネットワークにおけるネットワーク側装置又は将来進化型のＰＬＭＮネットワークにおけるネットワーク側装置等であってもよい。
【００２９】
図１は本願の実施例による適用シナリオの模式図である。図１における通信システムは、ネットワーク装置１０と端末装置２０とを備えてもよい。ネットワーク装置１０は端末装置２０のために通信サービスを提供し、コアネットワークに接続され、端末装置２０はネットワーク装置１０により送信された同期信号、放送信号等を検索してネットワークにアクセスし、それにより、ネットワークと通信してもよい。図１に示される矢印は、端末装置２０とネットワーク装置１０の間のセルラーリンクを介して行うアップ／ダウンリンク伝送を示す。
【００３０】
本願の実施例におけるネットワークは、公衆陸上移動体ネットワーク（Ｐｕｂｌｉｃ  Ｌａｎｄ  Ｍｏｂｉｌｅ  Ｎｅｔｗｏｒｋ、「ＰＬＭＮ」と略称する）又は端末間（Ｄｅｖｉｃｅ  ｔｏ  Ｄｅｖｉｃｅ、「Ｄ２Ｄ」と略称する）ネットワーク又はマシン対マシン／マン（Ｍａｃｈｉｎｅ  ｔｏ  Ｍａｃｈｉｎｅ／Ｍａｎ、「Ｍ２Ｍ」と略称する）ネットワーク又はその他のネットワークであってもよく、図１は、一例の簡略図にすぎず、図１には示されていないが、ネットワークにはその他の端末装置を備えてもよい。
【００３１】
図２は、４ステップランダムアクセスのプロセスインタラクションを示す図である。図２に示すように、該ランダムアクセスプロセスは、ステップ１〜４を含む。
【００３２】
ステップ１、Ｍｓｇ  １。
【００３３】
端末装置はＭｓｇ  １、すなわち、ランダムアクセスプリアンブル番号（Ｒａｎｄｏｍ  Ａｃｃｅｓｓ  Ｐｒｅａｍｂｌｅ）、又はプリアンブルシーケンスが含められるランダムアクセス要求を基地局に送信する。
【００３４】
ステップ２、Ｍｓｇ  ２。
【００３５】
基地局は端末装置により送信されたＭｓｇ  １を受信してから、Ｍｓｇ  ２、すなわち、タイミングアドバンス（Ｔｉｍｅ  Ａｄｖａｎｃｅ、「ＴＡ」と略称する）、アップリンク権限付与指令（例えばアップリンクリソースの構成）、及びセル無線ネットワーク一時識別子（Ｃｅｌｌ−Ｒａｄｉｏ  Ｎｅｔｗｏｒｋ  Ｔｅｍｐｏｒｙ  Ｉｄｅｎｔｉｔｙ、「Ｃ−ＲＮＴＩ」と略称する）等が含められるランダムアクセスレスポンス（Ｒａｎｄｏｍ  Ａｃｃｅｓｓ  Ｒｅｓｐｏｎｓｅ、「ＲＡＲ」と略称する）を端末装置に送信する。
【００３６】
ステップ３、Ｍｓｇ  ３。
【００３７】
端末装置はＲＡＲを受信してから、該ＲＡＲが自己のＲＡＲメッセージであるか否かを判断し、たとえば、プリアンブル識別子（ｐｒｅａｍｂｌｅ  ＩＤｅｎｔｉｔｙ）で確認し、自己のＲＡＲであると確定した後、無線リソース制御（Ｒａｄｉｏ  Ｒｅｓｏｕｒｃｅ  Ｃｏｎｔｒｏｌ、「ＲＲＣ」と略称する）層において端末装置の識別子（Ｉｄｅｎｔｉｔｙ、「ＩＤ」と略称する）等が含められるＭｓｇ  ３を発生し、かつＭｓｇ  ３、たとえば、ＲＲＣ接続確立要求（ＲＲＣ  Ｃｏｎｎｅｃｔｉｏｎ  Ｒｅｑｕｅｓｔ）メッセージを基地局に送信してスケジューリング伝送（Ｓｃｈｅｄｕｌｅｄ  Ｔｒａｎｍｉｓｓｉｏｎ）を行う。
【００３８】
ステップ４、Ｍｓｇ  ４。
【００３９】
基地局はＭｓｇ  ４を端末装置に送信し、端末装置がＭｓｇ  ４を正確に受信して競合解除（Ｃｏｎｔｅｎｔｉｏｎ  Ｒｅｓｏｌｕｔｉｏｎ）を完了し、たとえばＲＲＣ接続確立プロセスにおいて、Ｍｓｇ  ４にはＲＲＣ接続確立メッセージが含められる。
【００４０】
ステップ５、Ｍｓｇ  ５。
【００４１】
端末装置はＭｓｇ  ５を基地局に送信し、Ｍｓｇ  ４における構成の有効性を確定し、たとえばＲＲＣ接続確立プロセスにおいて、Ｍｓｇ  ５にはＲＲＣ作成完了メッセージが含められる。
【００４２】
５Ｇシステムにおいて、端末装置がランダムアクセスを行うときに、上記４ステップランダムアクセス方法でランダムアクセスを行うほか、２ステップランダムアクセス方法を用いてもよく、すなわち、４ステップランダムアクセスプロセスのメッセージＭｓｇ  １、すなわち、プリアンブルシーケンス（ｐｒｅａｍｂｌｅ）、及びＭｓｇ  ３をステップ１として送信する。
【００４３】
図３は２ステップランダムアクセスのプロセスインタラクションを示す図である。
【００４４】
ステップ１において、端末装置はｐｒｅａｍｂｌｅ及びＭｓｇ  ３を基地局に送信する。
【００４５】
ステップ２において、基地局が端末装置により送信されたｐｒｅａｍｂｌｅ及びＭｓｇ  ３の受信に成功した場合、基地局はＲＡＲ及び接続解除メッセージを端末装置に送信する。
【００４６】
しかしながら、２ステップランダムアクセスプロセスにおいて、基地局がｐｒｅａｍｂｌｅ又はＭｓｇ  ３の受信に成功していない可能性があり、その結果、ランダムアクセスが失敗する。基地局がｐｒｅａｍｂｌｅの受信のみに成功し、Ｍｓｇ  ３の受信に成功していないと、端末装置が４ステップランダムアクセスプロセスにフォールバック（ｆａｌｌｂａｃｋ）して今回のランダムアクセスを引き続き完了する。
【００４７】
図４は２ステップランダムアクセスと４ステップランダムアクセスとの間のハンドオーバのプロセスインタラクションを示す図である。
【００４８】
ステップ１において、端末装置がｐｒｅａｍｂｌｅ及びＭｓｇ  ３を基地局に送信する。
【００４９】
しかしながら、基地局がｐｒｅａｍｂｌｅの受信のみに成功し、Ｍｓｇ  ３の受信に成功せず、このとき、端末装置が４ステップランダムアクセスプロセスにフォールバックする。
【００５０】
ステップ２において、基地局が、ＴＡ値及びＭｓｇ３に対する基地局のアップリンク権限付与指令等が含められるＲＡＲを端末装置に送信する。
【００５１】
ステップ３において、端末装置がＭｓｇ  ３を基地局に送信する。
【００５２】
ステップ４において、基地局が接続解除メッセージを端末装置に送信する。
【００５３】
異なるシーンに対して、すなわち、異なるランダムアクセスイベント（トリガーイベント）が存在する場合、４ステップランダムアクセスプロセスのステップ３におけるＭｓｇ  ３は、異なる内容を含んでもよい。たとえば、初期アクセスシーンに対して、Ｍｓｇ  ３は、ＲＲＣ層において生成した、端末装置のサービス一時移動ユーザ識別子（Ｓｅｒｖｉｎｇ  −Ｔｅｍｐｏｒａｒｙ  Ｍｏｂｉｌｅ  Ｓｕｂｓｃｒｉｂｅｒ  Ｉｄｅｎｔｉｔｙ、「Ｓ−ＴＭＳＩ」と略称する）又はランダム数が含められるＲＲＣ接続要求を含み、接続再確立シーンに対して、Ｍｓｇ  ３にはＲＲＣ層において生成したＲＲＣ接続再確立要求、Ｃ−ＲＮＴＩ、及びプロトコル制御情報（Ｐｒｏｔｏｃｏｌ  Ｃｏｎｔｒｏｌ  Ｉｎｆｏｒｍａｔｉｏｎ、「ＰＣＩ」と略称する）が含められ、ハンドオーバシーンに対して、Ｍｓｇ  ３にはＲＲＣ層において生成したＲＲＣハンドオーバ完了メッセージ及び端末装置のＣ−ＲＮＴＩが含められ、アップ／ダウンリンクデータが到着するシーンに対して、Ｍｓｇ  ３には端末装置のＣ−ＲＮＴＩが含められる。
【００５４】
これらの異なるシーンに対して、ステップ３におけるＭｓｇ  ３のサイズも異なる。現在、複数のｐｒｅａｍｂｌｅを群分けし、かつ各群のｐｒｅａｍｂｌｅを異なるＭｓｇ  ３のサイズと対応付けて、それにより、基地局が受信したｐｒｅａｍｂｌｅに基づいて対応するＭｓｇ  ３のサイズを確定し、Ｍｓｇ  ３に対してアップリンク権限付与を行う。しかしながら、端末装置が多い場合、異なる端末装置がｐｒｅａｍｂｌｅを選択するときに衝突することをもたらす可能性があり、それにより、ランダムアクセスプロセスに深刻な影響を与える。たとえば、初期アクセスを行う端末装置が多すぎる場合、同じ群のｐｒｅａｍｂｌｅを選択する確率が高くなり、それにより、ｐｒｅａｍｂｌｅ衝突が発生する確率も高くなる。かつ、２ステップランダムアクセスプロセスにおいて、４ステップランダムアクセスプロセスにおける前の２つのステップによりＴＡ値等の情報を取得してＭｓｇ  ３を伝送する必要がないため、２ステップランダムアクセスプロセスにおいて、ｐｒｅａｍｂｌｅを４ステップランダムアクセスプロセスにおけるＭｓｇ  ３のサイズに対応付ける必要がなくなる。
【００５５】
本願の実施例において、端末装置は、すべてのプリアンブルシーケンスから、１つのプリアンブルシーケンスをランダムに選択して２ステップランダムアクセスプロセスを行い、プリアンブルシーケンス及び異なるランダムアクセスイベントに対するランダムアクセス情報を送信するとともに、ネットワーク装置に該ランダムアクセス情報のサイズを指示することで、ネットワーク装置が端末装置が２ステップランダムアクセスから４ステップランダムアクセスにフォールバックするときに、該ランダムアクセス情報のサイズを取得してアップリンクリソース権限付与を行う。
【００５６】
理解すべきなのは、端末装置が２ステップランダムアクセスを行うときに、ネットワーク装置に送信したメッセージはプリアンブルシーケンスだけではなく、ランダムアクセス情報も含む。かつ該ランダムアクセス情報は、端末装置が異なるランダムアクセスイベントに基づいて送信した無線リソース制御ＲＲＣに関連する制御シグナリング又はデータであり、たとえば、初期アクセスのためのＲＲＣ接続要求、セルハンドオーバの完了を指示するためのＲＲＣハンドオーバ確認情報、ＲＲＣ接続再確立を要求するためのＲＲＣ接続再確立要求、アップリンク伝送が非同期である時又はＳＲを伝送する利用可能なＰＵＣＣＨリソースがないときに到着する伝送対象となるアップリンクデータ、アップリンク伝送が非同期であるときに到着するダウンリンクデータに対するフィードバックメッセージ等が挙げられる。
【００５７】
該ランダムアクセス情報は、該端末装置が同じランダムアクセスイベントに対して４ステップランダムアクセスを開始するときに、４ステップランダムアクセスプロセスにおいて送信したＭｓｇ  ３に相当できる。しかしながら、４ステップランダムアクセスにおけるＭｓｇ  ３とは異なり、２ステップランダムアクセスにおいて、該ランダムアクセス情報がプリアンブルシーケンスとともにネットワーク装置に送信されるときに、スケジューリング伝送ではなく、端末装置が２ステップランダムアクセスから４ステップランダムアクセスにフォールバックした後に該ランダムアクセス情報を再送信するだけで、スケジューリング伝送になる。
【００５８】
図５は、本願の実施例によるランダムアクセス方法５００のプロセスインタラクションを示す図である。図５における端末装置は、たとえば図１に示す端末装置２０であってもよく、図５におけるネットワーク装置は、たとえば図１に示すネットワーク装置１０であってもよい。図５に示すように、該ランダムアクセスの具体的なプロセスは、５１０〜５９０を含む。
【００５９】
５１０において、端末装置は、複数のプリアンブルシーケンスから該端末装置がランダムアクセスを行うためのプリアンブルシーケンスをランダムに選択する。
【００６０】
具体的には、端末装置が２ステップランダムアクセスを開始するときに、先ず自己のプリアンブルシーケンスを確定し、端末装置が、複数のプリアンブルシーケンスから自己のランダムアクセスを行うためのプリアンブルシーケンスをランダムに選択する。端末装置がプリアンブルシーケンスをランダムに選択するため、異なる端末装置が複数のプリアンブルシーケンスから選択するとともに、プリアンブルシーケンスの衝突が発生する確率を大幅に低減させる。
【００６１】
５２０において、端末装置は第１のメッセージをネットワーク装置に送信する。
【００６２】
該第１のメッセージは、前記プリアンブルシーケンス、ランダムアクセス情報、及び該ランダムアクセス情報のサイズを指示するためのインデックスを含み、該ランダムアクセス情報は該端末装置がランダムアクセスイベントに基づいて送信した無線リソース制御ＲＲＣに関連する制御シグナリング又は送信したデータである。
【００６３】
具体的には、異なるランダムアクセスイベント、すなわち、トリガーイベントに応じて、端末装置により送信された該ランダムアクセス情報が異なる。選択肢として、該ランダムアクセスは、初期アクセスのためのＲＲＣ接続要求（ＲＲＣ  Ｃｏｎｎｅｃｔｉｏｎ  Ｒｅｑｕｅｓｔ）、セルハンドオーバの完了を指示するためのＲＲＣハンドオーバ確認情報（ＲＲＣ  Ｈａｎｄｏｖｅｒ  Ｃｏｎｆｉｒｍ）、ＲＲＣ接続再確立を要求するためのＲＲＣ接続再確立要求（ＲＲＣ  Ｃｏｎｎｅｃｔｉｏｎ  Ｒｅ−ｅｓｔａｂｌｉｓｈｍｅｎｔ  Ｒｅｑｕｅｓｔ）、アップリンクデータ、ダウンリンクデータに対するフィードバック情報のうちのいずれかを含む。
【００６４】
たとえば、初期アクセスシーンに対して、該ランダムアクセス情報は、ＲＲＣ層により生成したＲＲＣ接続要求であり、端末装置が該ＲＲＣ接続要求によりネットワークとの無線接続を初期確立し、端末装置がＲＲＣアイドル（ＲＲＣ＿ＩＤＬＥ）状態からＲＲＣ接続（ＲＲＣ＿ＣＯＮＮＥＣＴＥＤ）状態になり、ハンドオーバ（ｈａｎｄｏｖｅｒ）シーンに対して、該ランダムアクセス情報がＲＲＣ層において生成したＲＲＣハンドオーバ完了メッセージであり、このときに、ＵＥがハンドオーバ後の新セルとアップリンク同期を確立する必要があり、接続再確立シーンに対して、該ランダムアクセス情報がＲＲＣ接続再確立要求であり、端末装置が無線リンク障害（Ｒａｄｉｏ  Ｌｉｎｋ  Ｆａｉｌｕｒｅ）後に無線接続を再確立し、アップリンクデータが到着するシーンに対して、たとえば、測定報告を報告し又はユーザデータを送信する必要があるときに、アップリンク伝送が「非同期」であり又は基準信号（Ｒｅｆｅｒｅｎｃｅ  Ｓｉｇｎａｌ、「ＳＲ」と略称する）伝送する利用可能なＰＵＣＣＨリソースがなく、該ランダムアクセス情報は、アップリンクデータであってもよく、ＳＲ伝送のための利用可能なＰＵＣＣＨリソースがないときに、アップリンク同期状態の端末装置がＳＲの機能に替えて、ランダムアクセスチャネル（Ｒａｎｄｏｍ  Ａｃｃｅｓｓ  Ｃｈａｎｎｅｌ、「ＲＡＣＨ」と略称する）を使用することを許可し、ダウンリンクデータが到着するシーンに対して、アップリンク伝送が非同期であり、該ランダムアクセス情報はダウンリンクデータに対するフィードバック情報、たとえば、確認（Ａｃｋｎｏｗｌｅｄｇｅｍｅｎｔ、「ＡＣＫ」と略称する）又は否定確認（Ｎｅｇａｔｉｖｅ  Ａｃｋｎｏｗｌｅｄｇｅｍｅｎｔ、「ＮＡＣＫ」と略称する）であってもよい。
【００６５】
５３０において、ネットワーク装置が端末装置により送信された該第１のメッセージを受信する。
【００６６】
該第１のメッセージは、前記プリアンブルシーケンス、ランダムアクセス情報、及び該ランダムアクセス情報のサイズを指示するためのインデックスを含み、該ランダムアクセス情報は該端末装置がランダムアクセスイベントに基づいて送信した無線リソース制御ＲＲＣに関連する制御シグナリング又は送信したデータである。たとえば、該ランダムアクセスは、初期アクセスのためのＲＲＣ接続要求、セルハンドオーバの完了を指示するためのＲＲＣハンドオーバ確認情報、ＲＲＣ接続再確立を要求するためのＲＲＣ接続再確立要求、アップリンクデータ、及び、ダウンリンクデータに対するフィードバック情報のうちのいずれかを含む。
【００６７】
５４０において、ネットワーク装置は端末装置により送信された該ランダムアクセス情報の受信に成功したか否かを確認する。
【００６８】
具体的には、ネットワーク装置が端末装置により送信された第１のメッセージにおける該ランダムアクセス情報の受信に成功した場合、５５０と５６０を実行する。
【００６９】
５５０において、ネットワーク装置は該第１のメッセージに基づいて、該ランダムアクセスイベントの完了を指示するためのフィードバックメッセージを端末装置に送信する。
５６０において、端末装置は、ネットワーク装置が該第１のメッセージに基づいて送信した該ランダムアクセスイベントの完了を指示するためのフィードバックメッセージを受信する。
【００７０】
具体的には、５５０と５６０において、ネットワーク装置が端末装置により送信された第１のメッセージの受信に成功すると、すなわち、第１のメッセージにおけるプリアンブルシーケンスの受信に成功するだけではなく、第１のメッセージにおけるランダムアクセスイベントに対するランダムアクセス情報の受信にも成功する場合、ネットワーク装置は該第１のメッセージに基づいてフィードバックメッセージを端末装置に送信し、該フィードバックメッセージにより該ランダムアクセスイベントの完了を指示できる。
【００７１】
このとき、ネットワーク装置は、ネットワーク装置が端末装置により送信されたランダムアクセス情報の受信に成功したため、該第１のメッセージにおけるインデックスが無効であると見なすことができ、したがって、ネットワーク装置は該ランダムアクセス情報のために伝送リソースを設定する必要がなく、該ランダムアクセス情報のサイズを読み取る必要もない。
【００７２】
理解すべきなのは、該フィードバックメッセージには、該ランダムアクセス情報に対するフィードバック情報を含んでもよく、プリアンブルシーケンスに対するフィードバック情報、すなわち、ランダムアクセスレスポンスＲＡＲを同時に含んでもよく、該ＲＡＲには該端末装置の微調整のためのタイミングアドバンスＴＡ値等の情報が含められてもよい。
【００７３】
また、理解すべきなのは、前記ネットワーク装置が端末装置により送信されたランダムアクセス情報の受信に成功したこととは、ネットワーク装置が受信に成功し該ランダムアクセス情報を正確に復号することであり、ネットワーク装置が端末装置により送信されたランダムアクセス情報の受信に成功していないこととは、端末装置が第１のメッセージを送信した後にネットワーク装置がランダムアクセス情報を受信できず、又は該ランダムアクセス情報を受信したが、該ランダムアクセス情報を正確に復号していない。
【００７４】
ネットワーク装置が端末装置により送信された第１のメッセージにおける該ランダムアクセス情報の受信に成功していない場合、図６に示すランダムアクセスプロセスのように、ネットワーク装置及び端末装置が５７０〜５９０を実行する。ここで、端末装置が５１０において開始する２ステップランダムアクセスプロセスから４ステップランダムアクセスプロセスにフォールバックして、該ランダムアクセス情報を再送信する必要がある。
【００７５】
５７０において、ネットワーク装置はランダムアクセスレスポンスＲＡＲを端末装置に送信する。
【００７６】
該ＲＡＲは、該端末装置が該ランダムアクセス情報を再送信するためのアップリンクリソース情報を含む。
【００７７】
５８０において、端末装置はネットワーク装置が該インデックスに基づいて送信したランダムアクセスレスポンスメッセージＲＡＲを受信する。該ＲＡＲは、端末装置が該ランダムアクセス情報を再送信するためのアップリンクリソース情報を含む。
【００７８】
具体的には、ネットワーク装置が端末装置により送信された第１のメッセージにおける該ランダムアクセス情報の受信に成功していない場合、端末装置が２ステップランダムアクセスプロセスから４ステップランダムアクセスプロセスにフォールバックして該ランダムアクセス情報を再送信する必要があり、しかしながら、該ランダムアクセス情報が４ステップランダムアクセスプロセスにおいてスケジューリング伝送することに用いられ、したがって、ネットワーク装置が第１のメッセージにおけるインデックスが指示するランダムアクセス情報のサイズに応じて、端末装置のためにランダムアクセス情報を再伝送するアップリンクリソースを設定する必要がある。
【００７９】
ランダムアクセス情報のコンテンツサイズは異なるランダムアクセスイベントに応じて異なり、たとえば、初期アクセス、ハンドオーバ、再確立、アップ／ダウンリンクデータ到着という４種のトリガーイベントに対して、ランダムアクセス情報のコンテンツサイズは、たとえば、それぞれ５６ｂｉｔ、１４４ｂｉｔ、２０８ｂｉｔ、及び２５６ｂｉｔであり、ランダムアクセスプリアンブルシーケンスの利用率を向上させ、衝撃の確率を低減させ、ランダムアクセス特性を改善するために、一般的には、装置の生産者はランダムアクセス情報に冗長ビットを追加し、このように、ランダムアクセス情報のサイズも変化する。
【００８０】
ネットワーク装置は第１のメッセージにおけるインデックスに基づいてランダムアクセス情報のサイズを取得し、該ランダムアクセス情報のサイズに応じてＲＡＲを確定し、該ＲＡＲを端末装置に送信する。該ＲＡＲはネットワーク装置によるランダムアクセス情報のリソース権限付与に加えて、端末装置が同期するためのＴＡ値等の情報を含む。端末装置が該ＲＡＲを受信した後、該ＲＡＲに基づいて該ランダムアクセス情報をネットワーク装置に再送信できる。
【００８１】
５９０において、端末装置は該ＲＡＲに基づき、該ランダムアクセス情報をネットワーク装置に再送信する。
【００８２】
具体的には、端末装置は該ＲＡＲを受信した後、該ＲＡＲに基づいて該ランダムアクセス情報をネットワーク装置に再送信できる。該ランダムアクセス情報が競合解除を完了するようにスケジューリング伝送によりネットワーク装置に送信される。ネットワーク装置が該アクセス情報を受信した後、該アクセス情報に基づいてフィードバックメッセージを端末装置に送信し、該フィードバックメッセージにより該ランダムアクセスイベントの完了を指示する。
【００８３】
たとえば、端末装置がネットワーク装置に再送信した該ランダムアクセス情報は初期アクセスのためのＲＲＣ接続要求である場合、ネットワーク装置は、ＲＲＣ接続完了メッセージを端末装置にフィードバックして初期接続の完了を端末装置に通知し、該ランダムアクセス情報はＲＲＣ接続再確立要求である場合、ネットワーク装置は、ＲＲＣ再確立完了メッセージを端末装置にフィードバックして接続再確立の完了を端末装置に通知する。勿論、該ランダムアクセス情報がアップリンクデータ又はダウンリンクデータに対するフィードバック情報であると、ネットワーク装置は該フィードバックメッセージを端末装置に送信しなくてもよい。
【００８４】
理解すべきなのは、該ランダムアクセス情報は、該端末装置が同じランダムアクセスイベントに対して４ステップランダムアクセスを開始するときに、４ステップランダムアクセスプロセスにおいて送信したＭｓｇ  ３に相当できる。しかしながら、４ステップランダムアクセスにおけるＭｓｇ  ３とは異なり、２ステップランダムアクセスにおいて、該ランダムアクセス情報がプリアンブルシーケンスとともにネットワーク装置に送信されるときに、スケジューリング伝送ではなく、端末装置が２ステップランダムアクセスから４ステップランダムアクセスにフォールバックした後に該ランダムアクセス情報を再送信するときのみ、スケジューリング伝送である。
【００８５】
従って、本願の実施例において、端末装置は、すべてのプリアンブルシーケンスから、１つのプリアンブルシーケンスをランダムに選択して２ステップランダムアクセスプロセスを行い、プリアンブルシーケンス及び異なるランダムアクセスイベントに対するランダムアクセス情報を送信するとともに、ネットワーク装置に該ランダムアクセス情報のサイズを指示することで、ネットワーク装置が端末装置が２ステップランダムアクセスから４ステップランダムアクセスにフォールバックするときに、該ランダムアクセス情報のサイズに基づいてアップリンクリソース権限付与を行い、端末装置が４ステップランダムアクセスにより該ランダムアクセス情報を再送信し、端末装置のランダムアクセスプロセスにおいてプリアンブルシーケンスの衝突が発生する確率を低減させる。
【００８６】
選択肢として、５１０の前、すなわち端末装置が第１のメッセージをネットワーク装置に送信する前、該方法は、
端末装置が該ランダムアクセス情報のサイズ及び複数のデータサイズと複数のインデックス値との間の対応関係を含む第１のマッピング関係に基づき、該ランダムアクセス情報のサイズに対応する該インデックスを確定することをさらに含む。
【００８７】
さらに、端末装置が該ランダムアクセス情報のサイズに対応する該インデックスを確定する前、該方法は、
ネットワーク装置が第１のマッピング関係を前記端末装置に送信することと、端末装置がネットワーク装置により送信された前記第１のマッピング関係を指示するための指示情報を受信することをさらに含む。
【００８８】
つまり、第１のメッセージにおけるインデックス（ｉｎｄｅｘ）はデータサイズ（Ｄａｔａ  Ｓｉｚｅ）と直接的にマッピング関係（ｍａｐｐｉｎｇ）を有し、該マッピング関係はネットワーク装置がシステムメッセージにより端末装置に指示される。該インデックスは、ネットワーク装置がランダムアクセス情報を復号することに失敗した後にネットワーク装置がリソース権限付与を行う参照に過ぎない。すなわち、ネットワーク装置がｐｒｅａｍｂｌｅの受信のみに成功し、ランダムアクセス情報の受信に成功していなく、４ステップランダムアクセスにフォールバックする必要がある場合、ネットワーク装置は、第１のメッセージに含められる該インデックスに基づいて権限付与ランダムアクセス情報の参照として、端末装置はネットワーク装置がＲＡＲにおける権限付与に基づいて４ステップランダムアクセスプロセスを継続する。逆に、ネットワーク装置がｐｒｅａｍｂｌｅ及びランダムアクセス情報の受信に成功した場合、該ｉｎｄｅｘが無効であると見なす。
【００８９】
理解すべきなのは、本願の様々な実施例において、上記各プロセスの番号は実行秩序の順次を意味せず、各プロセスの実行秩序はその機能及び内部論理によって確定されるべきであり、本願の実施例の実施プロセスを限定するものではない。
【００９０】
図７は、本願の実施例による端末装置７００の概略ブロック図である。図７に示すように、該端末装置７００は、処理ユニット７１０と送信ユニット７２０を備える。
処理ユニット７１０は複数のプリアンブルシーケンスから、前記端末装置がランダムアクセスを行うプリアンブルシーケンスをランダムに選択する。
送信ユニット７２０は第１のメッセージをネットワーク装置に送信し、前記第１のメッセージは前記処理ユニットが選択した前記プリアンブルシーケンス、ランダムアクセス情報、及び前記ランダムアクセス情報のサイズを指示するためのインデックスを含み、前記ランダムアクセス情報は前記端末装置がランダムアクセスイベントに基づいて送信した無線リソース制御ＲＲＣに関連する制御シグナリング又は送信したデータである。
【００９１】
従って、本願の実施例において、端末装置は、すべてのプリアンブルシーケンスから、１つのプリアンブルシーケンスをランダムに選択して２ステップランダムアクセスプロセスを行い、プリアンブルシーケンス及び異なるランダムアクセスイベントに対するランダムアクセス情報を送信するとともに、ネットワーク装置に該ランダムアクセス情報のサイズを指示することで、ネットワーク装置が端末装置が２ステップランダムアクセスから４ステップランダムアクセスにフォールバックするときに、該ランダムアクセス情報のサイズに基づいてアップリンクリソース権限付与を行い、端末装置が４ステップランダムアクセスにより該ランダムアクセス情報を再送信し、端末装置のランダムアクセスプロセスにおいてプリアンブルシーケンスの衝突が発生する確率を低減させる。
【００９２】
選択肢として、前記ランダムアクセスは、初期アクセスのためのＲＲＣ接続要求、セルハンドオーバの完了を指示するためのＲＲＣハンドオーバ確認情報、ＲＲＣ接続再確立を要求するためのＲＲＣ接続再確立要求、アップリンクデータ、及び、ダウンリンクデータに対するフィードバック情報のうちの少なくとも１種を含む。
【００９３】
選択肢として、前記端末装置は、前記ネットワーク装置が前記ランダムアクセス情報の受信に成功していない場合、前記ネットワーク装置が前記インデックスに基づいて送信した、前記端末装置が前記ランダムアクセス情報を再送信するためのアップリンクリソース情報を含むランダムアクセスレスポンスＲＡＲを受信する受信ユニットをさらに備え、前記端末装置が前記ＲＡＲに基づき、前記ランダムアクセス情報を前記ネットワーク装置に再送信する。
【００９４】
選択肢として、前記端末装置は、前記ネットワーク装置が前記ランダムアクセス情報の受信に成功した場合、前記ネットワーク装置が前記第１のメッセージに基づいて送信した、前記ランダムアクセスイベントの完了を指示するためのフィードバックメッセージを受信する受信ユニットをさらに備える。
【００９５】
選択肢として、前記処理ユニット７１０は、さらに、前記端末装置が第１のメッセージをネットワーク装置に送信する前、前記ランダムアクセス情報のサイズ及び複数のデータサイズと複数のインデックス値との間の対応関係を含む第１のマッピング関係に基づき、前記ランダムアクセス情報のサイズに対応する前記インデックスを確定する。
【００９６】
選択肢として、前記受信ユニットは、さらに、前記端末装置が前記ランダムアクセス情報のサイズに対応する前記インデックスを確定する前、ネットワーク装置により送信された、前記第１のマッピング関係を指示するための指示情報を受信する。
【００９７】
理解すべきなのは、該端末装置７００は方法実施例における端末装置に対応してもよく、該端末装置の対応機能を実現でき、簡潔のために、ここで詳細な説明は省略する。
【００９８】
図８は、本願の実施例によるネットワーク装置８００の概略ブロック図である。図８に示すように、該ネットワーク装置８００は、受信ユニット８１０と、処理ユニット８２０と、送信ユニット８３０と、を備える。
受信ユニット８１０は端末装置により送信された第１のメッセージを受信し、前記第１のメッセージはランダムアクセスのためのプリアンブルシーケンス、ランダムアクセス情報、及び前記ランダムアクセス情報のサイズを指示するためのインデックスを含み、前記ランダムアクセス情報は前記端末装置がランダムアクセスイベントに基づいて送信した無線リソース制御ＲＲＣに関連する制御シグナリング又は送信したデータである。
処理ユニット８２０は、前記受信ユニット８１０が前記端末装置により送信された前記ランダムアクセス情報の受信に成功したか否かを確定する。
送信ユニット８３０は、前記処理ユニット８２０が、前記受信ユニット８１０が前記端末装置により送信された前記ランダムアクセス情報の受信に成功したと確定した場合、前記第１のメッセージに基づいて前記ランダムアクセスイベントの完了を指示するためのフィードバックメッセージを前記端末装置に送信する。又は、
送信ユニット８３０は、前記処理ユニット８２０が、前記受信ユニット８１０が前記端末装置により送信された前記ランダムアクセス情報の受信に成功していないと確定した場合、前記端末装置が前記ランダムアクセス情報を再送信するためのアップリンクリソース情報を含むランダムアクセスレスポンスＲＡＲを前記端末装置に送信する。
【００９９】
従って、本願の実施例において、端末装置は、すべてのプリアンブルシーケンスから、１つのプリアンブルシーケンスをランダムに選択して２ステップランダムアクセスプロセスを行い、プリアンブルシーケンス及び異なるランダムアクセスイベントに対するランダムアクセス情報を送信するとともに、ネットワーク装置に該ランダムアクセス情報のサイズを指示することで、ネットワーク装置が端末装置が２ステップランダムアクセスから４ステップランダムアクセスにフォールバックするときに、該ランダムアクセス情報のサイズに基づいてアップリンクリソース権限付与を行い、端末装置が４ステップランダムアクセスにより該ランダムアクセス情報を再送信し、端末装置のランダムアクセスプロセスにおいてプリアンブルシーケンスの衝突が発生する確率を低減させる。
【０１００】
選択肢として、前記ランダムアクセスは、初期アクセスのためのＲＲＣ接続要求、セルハンドオーバの完了を指示するためのＲＲＣハンドオーバ確認情報、ＲＲＣ接続再確立を要求するためのＲＲＣ接続再確立要求、アップリンクデータ、及び、ダウンリンクデータに対するフィードバック情報のうちの少なくとも１種を含む。
【０１０１】
選択肢として、前記送信ユニット８３０は、さらに、前記ネットワーク装置が端末装置により送信された第１のメッセージを受信する前、複数のデータサイズと複数のインデックス値との間の対応関係を含む第１のマッピング関係を前記端末装置に送信し、前記端末装置が前記ランダムアクセス情報のサイズ及び第１のマッピング関係に基づき、前記ランダムアクセス情報のサイズに対応する前記インデックスを確定する。
【０１０２】
図９は、本願の実施例による端末装置９００の概略構成図である。図９に示すように、該端末装置は、プロセッサ９１０と、送受信機９２０と、メモリ９３０と、を備え、該プロセッサ９１０と、送受信機９２０と、メモリ９３０とは内部接続通路を介して互いに通信する。該メモリ９３０が指令を記憶し、該プロセッサ９１０が該メモリ９３０に記憶されている指令を実行し、該送受信機９２０が信号を受信する、又は、信号を送信するように制御する。
【０１０３】
プロセッサ９１０は、複数のプリアンブルシーケンスから前記端末装置がランダムアクセスを行うプリアンブルシーケンスをランダムに選択する。
送受信機９２０は第１のメッセージをネットワーク装置に送信し、前記第１のメッセージは前記処理ユニットが選択した前記プリアンブルシーケンス、ランダムアクセス情報、及び前記ランダムアクセス情報のサイズを指示するためのインデックスを含み、前記ランダムアクセス情報は前記端末装置がランダムアクセスイベントに基づいて送信した無線リソース制御ＲＲＣに関連する制御シグナリング又は送信したデータである。
【０１０４】
選択肢として、前記ランダムアクセスは、初期アクセスのためのＲＲＣ接続要求、セルハンドオーバの完了を指示するためのＲＲＣハンドオーバ確認情報、ＲＲＣ接続再確立を要求するためのＲＲＣ接続再確立要求、アップリンクデータ、及び、ダウンリンクデータに対するフィードバック情報のうちの少なくとも１種を含む。
【０１０５】
選択肢として、前記送受信機９２０は、さらに、前記ネットワーク装置が前記ランダムアクセス情報の受信に成功していない場合、前記ネットワーク装置が前記インデックスに基づいて送信した、前記端末装置が前記ランダムアクセス情報を再送信するためのアップリンクリソース情報を含むランダムアクセスレスポンスＲＡＲを受信し、前記端末装置は前記ＲＡＲに基づき、前記ランダムアクセス情報を前記ネットワーク装置に再送信する。
【０１０６】
選択肢として、前記送受信機９２０は、さらに、前記ネットワーク装置が前記ランダムアクセス情報の受信に成功した場合、前記ネットワーク装置が前記第１のメッセージに基づいて送信した、前記ランダムアクセスイベントの完了を指示するためのフィードバックメッセージを受信する。
【０１０７】
選択肢として、前記プロセッサ９１０は、さらに、前記端末装置が第１のメッセージをネットワーク装置に送信する前、前記ランダムアクセス情報のサイズ及び複数のデータサイズと複数のインデックス値との間の対応関係を含む第１のマッピング関係に基づき、前記ランダムアクセス情報のサイズに対応する前記インデックスを確定する。
【０１０８】
選択肢として、前記送受信機９２０は、さらに、前記端末装置が前記ランダムアクセス情報のサイズに対応する前記インデックスを確定する前、ネットワーク装置により送信された、前記第１のマッピング関係を指示するための指示情報を受信する。
【０１０９】
理解すべきなのは、本願の実施例において、該プロセッサ９１０は、中央処理装置（Ｃｅｎｔｒａｌ  Ｐｒｏｃｅｓｓｉｎｇ  Ｕｎｉｔ、「ＣＰＵ」と略称する）であってもよく、その他の汎用プロセッサ、デジタル信号プロセッサ（ＤＳＰ）、特定用途向け集積回路（ＡＳＩＣ）、フィールドプログラマブルゲートアレイ（ＦＰＧＡ）又はその他のプログラマブルロジックデバイス、個別のゲート又はトランジスタ論理回路、個別のハードウェア構成要素等であってもよい。汎用プロセッサは、マイクロプロセッサ又は任意の通常のプロセッサ等であってもよい。
【０１１０】
該メモリ９３０は、読み取り専用メモリと、ランダムアクセスメモリと、を備え、指令及びデータをプロセッサ９１０に提供してもよい。メモリ９３０の一部は、不揮発性ランダムアクセスメモリを備えてもよく、たとえば、メモリ９３０にはデバイスタイプの情報が記憶されている。
【０１１１】
実現する過程において、上記方法の各ステップはプロセッサ９１０におけるハードウェアの集積論理回路又はソフトウェア形式の指令によって完了される。本願の実施例で開示されている位置決め方法に結合するステップは、ハードウェアプロセッサによって実行して完了され、又はプロセッサ９１０におけるハードウェア及びソフトウェアモジュールの組合せによって実行して完了される。ソフトウェアモジュールは、ランダムアクセスメモリ、フラッシュメモリ、読み取り専用メモリ、プログラマブル読み取り専用メモリ又は電気的消去可能プログラマブルメモリ、レジスタ等の本分野における成熟した記憶媒体に位置してもよい。該記憶媒体がメモリ９３０に位置し、プロセッサ９１０がメモリ９３０における情報を読み取り、ハードウェアに結合して上記方法のステップを完了する。ここで、繰り返しを避けるために、詳細な説明は省略する。
【０１１２】
本願の実施例による端末装置９００は、上記方法５００において、方法５００を実行する端末装置、及び本願の実施例による端末装置７００に対応し、かつ該端末装置９００における各ユニット又はモジュールがそれぞれ上記方法５００において端末装置によって実行される各動作又は処理プロセスを実行し、ここで、繰り返しを避けるために、詳細な説明は省略する。
【０１１３】
図１０は、本願の実施例によるネットワーク装置１０００の概略構成図である。図１０に示すように、該ネットワーク装置は、プロセッサ１０１０と、送受信機１０２０と、メモリ１０３０と、を備え、該プロセッサ１０１０と、送受信機１０２０と、メモリ１０３０とは内部接続通路を介して互いに通信する。該メモリ１０３０が指令を記憶し、該プロセッサ１０１０が該メモリ１０３０に記憶されている指令を実行し、該送受信機１０２０が信号を受信する、又は、信号を送信するように制御する。
【０１１４】
送受信機１０２０は、端末装置により送信された第１のメッセージを受信し、前記第１のメッセージはランダムアクセスのためのプリアンブルシーケンス、ランダムアクセス情報、及び前記ランダムアクセス情報のサイズを指示するためのインデックスを含み、前記ランダムアクセス情報は前記端末装置がランダムアクセスイベントに基づいて送信した無線リソース制御ＲＲＣに関連する制御シグナリング又は送信したデータである。
プロセッサ１０１０は、前記送受信機１０２０が前記端末装置により送信された前記ランダムアクセス情報の受信に成功したか否かを確定する。
送受信機１０２０は、前記プロセッサ１０１０が、前記送受信機１０２０が前記端末装置により送信された前記ランダムアクセス情報の受信に成功したと確定した場合、前記第１のメッセージに基づいて前記ランダムアクセスイベントの完了を指示するためのフィードバックメッセージを前記端末装置に送信する。又は、
送受信機１０２０は、前記プロセッサ１０１０が、前記送受信機１０２０が前記端末装置により送信された前記ランダムアクセス情報の受信に成功していないと確定した場合、前記端末装置が前記ランダムアクセス情報を再送信するためのアップリンクリソース情報を含むランダムアクセスレスポンスＲＡＲを前記端末装置に送信する。
【０１１５】
従って、本願の実施例において、端末装置は、すべてのプリアンブルシーケンスから、１つのプリアンブルシーケンスをランダムに選択して２ステップランダムアクセスプロセスを行い、プリアンブルシーケンス及び異なるランダムアクセスイベントに対するランダムアクセス情報を送信するとともに、ネットワーク装置に該ランダムアクセス情報のサイズを指示することで、ネットワーク装置が端末装置が２ステップランダムアクセスから４ステップランダムアクセスにフォールバックするときに、該ランダムアクセス情報のサイズに基づいてアップリンクリソース権限付与を行い、端末装置が４ステップランダムアクセスにより該ランダムアクセス情報を再送信し、端末装置のランダムアクセスプロセスにおいてプリアンブルシーケンスの衝突が発生する確率を低減させる。
【０１１６】
選択肢として、前記ランダムアクセスは、初期アクセスのためのＲＲＣ接続要求、セルハンドオーバの完了を指示するためのＲＲＣハンドオーバ確認情報、ＲＲＣ接続再確立を要求するためのＲＲＣ接続再確立要求、アップリンクデータ、及び、ダウンリンクデータに対するフィードバック情報のうちのいずれかを含む。
【０１１７】
選択肢として、前記送受信機１０２０は、さらに、前記ネットワーク装置が端末装置により送信された第１のメッセージを受信する前、複数のデータサイズと複数のインデックス値との間の対応関係を含む第１のマッピング関係を前記端末装置に送信し、前記端末装置が前記ランダムアクセス情報のサイズ及び第１のマッピング関係に基づき、前記ランダムアクセス情報のサイズに対応する前記インデックスを確定する。
【０１１８】
理解すべきなのは、本願の実施例において、該プロセッサ１０１０は中央処理装置（Ｃｅｎｔｒａｌ  Ｐｒｏｃｅｓｓｉｎｇ  Ｕｎｉｔ、「ＣＰＵ」と略称する）であってもよく、該プロセッサ１０１０は、その他の汎用プロセッサ、デジタル信号プロセッサ（ＤＳＰ）、特定用途向け集積回路（ＡＳＩＣ）、フィールドプログラマブルゲートアレイ（ＦＰＧＡ）又はその他プログラマブルロジックデバイス、ゲート又はトランジスタ論理回路、個別のハードウェア構成要素等であってもよい。汎用プロセッサは、マイクロプロセッサ又は任意の通常のプロセッサ等であってもよい。
【０１１９】
該メモリ１０３０は、読み取り専用メモリと、ランダムアクセスメモリと、を備え、指令及びデータをプロセッサ１０１０に提供してもよい。メモリ１０３０の一部は、不揮発性ランダムアクセスメモリを備えてもよい。たとえば、メモリ１０３０にはデバイスタイプの情報が記憶されている。
【０１２０】
実現する過程において、上記方法の各ステップはプロセッサ１０１０におけるハードウェアの集積論理回路又はソフトウェア形式の指令によって完了される。本願の実施例で開示されている位置決め方法に結合するステップは、ハードウェアプロセッサによって実行して完了され、又はプロセッサ１０１０におけるハードウェア及びソフトウェアモジュールの組合せによって実行して完了される。ソフトウェアモジュールは、ランダムアクセスメモリ、フラッシュメモリ、読み取り専用メモリ、プログラマブル読み取り専用メモリ又は電気的消去可能プログラマブルメモリ、レジスタ等の本分野における成熟した記憶媒体に位置してもよい。該記憶媒体がメモリ１０３０に位置し、プロセッサ１０１０がメモリ１０３０における情報を読み取り、そのハードウェアに組み合わせて上記方法のステップを完了する。ここで、繰り返しを回避するための、詳細な説明は省略する。
【０１２１】
本願の実施例によるネットワーク装置１０００は、上記方法５００において方法５００を実行するネットワーク装置、及び本願の実施例によるネットワーク装置８００に対応し、かつ該ネットワーク装置１０００における各ユニット又はモジュールはそれぞれ上記方法５００においてネットワーク装置によって実行される各動作又は処理プロセスを実行し、ここで、繰り返しを回避するために、詳細な説明は省略する。
【０１２２】
図１１は、本願の実施例によるシステムチップの概略構成図である。図１１のシステムチップ１１００は、入力インタフェース１１０１と、出力インタフェース１１０２と、少なくとも１つのプロセッサ１１０３と、メモリ１１０４とを備え、入力インタフェース１１０１と、出力インタフェース１１０２と、プロセッサ１１０３と、メモリ１１０４とは内部接続通路を介して互いに通信する。前記プロセッサ１１０３が前記メモリ１１０４におけるコードを実行する。
【０１２３】
選択肢として、当前記コードが実行されるとき、前記プロセッサ１１０３は方法実施例において端末装置により実行可能な方法５００を実現できる。簡潔のために、詳細な説明は省略する。
【０１２４】
選択肢として、当前記コードが実行されるとき、前記プロセッサ１１０３は方法実施例においてネットワーク装置により実行可能な方法５００を実現できる。簡潔のために、詳細な説明は省略する。
【０１２５】
当業者は、本明細書で開示されている実施例を参照して説明した各例のユニット及び算法ステップは、電子ハードウェア、又はコンピュータソフトウェアと電子ハードウェアとの組み合わせによって実現されてもよい。これらの機能はハードウェアそれともソフトウェア方式で実行されるかは、技術案の特定応用及び設計制約条件に決められる。当業者は、各特定応用に対して異なる方法で説明した機能を実現できるが、このような実現が本願の範囲を超えると見なされるべきではない。
【０１２６】
当業者であれば明らかに理解できるように、説明の便宜及び簡潔さのために、上記説明したシステム、装置、及びユニットの具体的な作業プロセスが、上記方法実施例における対応プロセスを参照することを明らかに理解し、ここで、詳細な説明は省略する。
【０１２７】
本願により提供されるいくつかの実施例において、開示されているシステム、装置、及び方法は、その他の方式によって実現できることを理解すべきである。たとえば、上述した装置実施例は単なる例示であり、たとえば、該ユニットの分割は、論理的な機能の分割にすぎず、実際に実現するときに、その他の分割方式があり、たとえば複数のユニット又はアセンブリが組み合わせてもよく又は他のシステムに集積してもよく、又は、いくつかの特徴を無視してもよく又は実行しなくてもよい。さらに、表示又は検討した相互結合又は直接結合又は通信接続は、いくつかのインタフェース、装置又はユニットを介した間接結合又は通信接続であってもよく、電気、機械又はその他の形式であってもよい。
【０１２８】
分離部材として説明したユニットは、物理的に分離されていてもいなくてもよく、ユニットとして表示される部材は物理的ユニットであってもなくてもよく、すなわち、同じ位置に位置してもよく、又は複数のネットワークユニットにおいて分布してもよい。実際の需要に応じてその一部又は全部のユニットを選択して本実施例の形態の目的を実現してもよい。
【０１２９】
また、本願の各実施例における各機能ユニットは、１つの処理ユニットに集積してもよく、各ユニットが単独に物理的に存在してもよく、２つ又は２つ以上のユニットが１つのユニットに集積してもよい。
【０１３０】
該機能はソフトウェア機能ユニットの形式で実現され、独立した製品として販売又は使用される場合、１つのコンピュータリーダブル記憶媒体に記憶されてもよい。このように理解によれば、本願の技術案は、本質又は従来技術に貢献する部分、又は、該技術案の部分がソフトウェア製品の形式で具現されてもよく、該コンピュータソフトウェア製品は記憶媒体に記憶され、コンピュータ装置（パーソナルコンピュータ、サーバ、又はネットワーク装置等であってもよい）が本願の各実施例の該方法の全部又は一部のステップを実行する複数の指令を含む。上述した記憶媒体は、Ｕディスク、モバイルハードディスク、読み取り専用メモリ（Ｒｅａｄ−Ｏｎｌｙ  Ｍｅｍｏｒｙ、「ＲＯＭ」と略称する）、ランダムアクセスメモリ（Ｒａｎｄｏｍ  Ａｃｃｅｓｓ  Ｍｅｍｏｒｙ、「ＲＡＭ」と略称する）、磁気ディスク又はディスク等の様々なプログラムコードを記憶可能な媒体を含む。
【０１３１】
以上、本願の具体的な実施形態について説明したが、本願の実施例の保護範囲はこれらに限定されるものではなく、当業者が本願の実施例に開示した技術的範囲内に容易に想到できる変更又は置換は、本願の個人的な利益の保護範囲内に属すべきである。従って、本願の実施例の保護範囲は請求項の保護範囲によって決定されるべきである。  
【図１】
2020513172.tif 000003
【図２】
2020513172.tif 000004
【図３】
2020513172.tif 000005
【図４】
2020513172.tif 000006
【図５】
2020513172.tif 000007
【図６】
2020513172.tif 000008
【図７】
2020513172.tif 000009
【図８】
2020513172.tif 000010
【図９】
2020513172.tif 000011
【図１０】
2020513172.tif 000012
【図１１】
2020513172.tif 000013
【手続補正書】
【提出日】令和2年2月10日(2020.2.10)
【手続補正１】
【補正対象書類名】明細書
【補正対象項目名】００２０
【補正方法】変更
【補正の内容】
【００２０】
第７の態様において、コンピュータ可読記憶媒体を提供し、前記コンピュータ可読記憶媒体には端末装置が上記第１の態様、及びその様々な実現方式におけるいずれかのランダムアクセス方法を実行するプログラムが記憶されている。
【手続補正２】
【補正対象書類名】明細書
【補正対象項目名】０１０１
【補正方法】変更
【補正の内容】
【０１０１】
プロセッサ９１０は、複数のプリアンブルシーケンスから前記端末装置がランダムアクセスを行うプリアンブルシーケンスをランダムに選択する。
送受信機９２０は第１のメッセージをネットワーク装置に送信し、前記第１のメッセージは前記プロセッサが選択した前記プリアンブルシーケンス、ランダムアクセス情報、及び前記ランダムアクセス情報のサイズを指示するためのインデックスを含み、前記ランダムアクセス情報は前記端末装置がランダムアクセスイベントに基づいて送信した無線リソース制御ＲＲＣに関連する制御シグナリング又は送信したデータである。
【手続補正３】
【補正対象書類名】明細書
【補正対象項目名】０１０９
【補正方法】変更
【補正の内容】
【０１０９】
実現する過程において、上記方法の各ステップはプロセッサ９１０におけるハードウェアの集積論理回路又はソフトウェア形式の指令によって完了される。本願の実施例で開示されているランダムアクセス方法に結合するステップは、ハードウェアプロセッサによって実行して完了され、又はプロセッサ９１０におけるハードウェア及びソフトウェアモジュールの組合せによって実行して完了される。ソフトウェアモジュールは、ランダムアクセスメモリ、フラッシュメモリ、読み取り専用メモリ、プログラマブル読み取り専用メモリ又は電気的消去可能プログラマブルメモリ、レジスタ等の本分野における成熟した記憶媒体に位置してもよい。該記憶媒体がメモリ９３０に位置し、プロセッサ９１０がメモリ９３０における情報を読み取り、ハードウェアに結合して上記方法のステップを完了する。ここで、繰り返しを避けるために、詳細な説明は省略する。
【手続補正４】
【補正対象書類名】明細書
【補正対象項目名】０１１８
【補正方法】変更
【補正の内容】
【０１１８】
実現する過程において、上記方法の各ステップはプロセッサ１０１０におけるハードウェアの集積論理回路又はソフトウェア形式の指令によって完了される。本願の実施例で開示されているランダムアクセス方法に結合するステップは、ハードウェアプロセッサによって実行して完了され、又はプロセッサ１０１０におけるハードウェア及びソフトウェアモジュールの組合せによって実行して完了される。ソフトウェアモジュールは、ランダムアクセスメモリ、フラッシュメモリ、読み取り専用メモリ、プログラマブル読み取り専用メモリ又は電気的消去可能プログラマブルメモリ、レジスタ等の本分野における成熟した記憶媒体に位置してもよい。該記憶媒体がメモリ１０３０に位置し、プロセッサ１０１０がメモリ１０３０における情報を読み取り、そのハードウェアに組み合わせて上記方法のステップを完了する。ここで、繰り返しを回避するための、詳細な説明は省略する。
【手続補正５】
【補正対象書類名】明細書
【補正対象項目名】０１２９
【補正方法】変更
【補正の内容】
【０１２９】
以上、本願の具体的な実施形態について説明したが、本願の実施例の保護範囲はこれらに限定されるものではなく、当業者が本願の実施例に開示した技術的範囲内に容易に想到できる変更又は置換は、本願の実施例の保護範囲内に属すべきである。従って、本願の実施例の保護範囲は請求項の保護範囲によって決定されるべきである。
【手続補正６】
【補正対象書類名】特許請求の範囲
【補正対象項目名】全文
【補正方法】変更
【補正の内容】
【特許請求の範囲】
【請求項１】
ランダムアクセス方法であって、
端末装置は、複数のプリアンブルシーケンスから前記端末装置がランダムアクセスを行うためのプリアンブルシーケンスをランダムに選択することと、
前記端末装置は第１のメッセージをネットワーク装置に送信し、前記第１のメッセージは前記プリアンブルシーケンス、ランダムアクセス情報、及び前記ランダムアクセス情報のサイズを指示するためのインデックスを含み、前記ランダムアクセス情報は前記端末装置がランダムアクセスイベントに基づいて送信した無線リソース制御ＲＲＣに関連する制御シグナリング又は送信したデータであることと、を含むことを特徴とするランダムアクセス方法。
【請求項２】
前記ランダムアクセスは、
初期アクセスのためのＲＲＣ接続要求、セルハンドオーバの完了を指示するためのＲＲＣハンドオーバ確認情報、ＲＲＣ接続再確立を要求するためのＲＲＣ接続再確立要求、アップリンクデータ、及び、ダウンリンクデータに対するフィードバック情報のうちの少なくとも１種を含むことを特徴とする請求項１に記載の方法。
【請求項３】
前記ネットワーク装置が前記ランダムアクセス情報の受信に成功していない場合、
前記端末装置は、前記ネットワーク装置が前記インデックスに基づいて送信した、前記端末装置が前記ランダムアクセス情報を再送信するためのアップリンクリソース情報を含むランダムアクセスレスポンスＲＡＲを受信することと、
前記端末装置は前記ＲＡＲに基づき、前記ランダムアクセス情報を前記ネットワーク装置に再送信することと、をさらに含むことを特徴とする請求項１又は２に記載の方法。
【請求項４】
前記ネットワーク装置が前記ランダムアクセス情報の受信に成功した場合、
前記端末装置は、前記ネットワーク装置が前記第１のメッセージに基づいて送信した、前記ランダムアクセスイベントの完了を指示するためのフィードバックメッセージを受信することをさらに含むことを特徴とする請求項１又は２に記載の方法。
【請求項５】
前記端末装置が第１のメッセージをネットワーク装置に送信する前、
前記端末装置は、前記ランダムアクセス情報のサイズ及び複数のデータサイズと複数のインデックス値との間の対応関係を含む第１のマッピング関係に基づき、前記ランダムアクセス情報のサイズに対応する前記インデックスを確定することをさらに含むことを特徴とする請求項１〜４のいずれか１つに記載の方法。
【請求項６】
前記端末装置が前記ランダムアクセス情報のサイズに対応する前記インデックスを確定する前、
前記端末装置はネットワーク装置により送信された前記第１のマッピング関係を指示するための指示情報を受信することをさらに含むことを特徴とする請求項５に記載の方法。
【請求項７】
異なるランダムアクセスイベントに応じて、端末装置により送信されたランダムアクセス情報は異なることを特徴とする請求項１に記載の方法。
【請求項８】
前記フィードバックメッセージには、前記ランダムアクセス情報に対するフィードバック情報を含むことを特徴とする請求項４に記載の方法。
【請求項９】
前記フィードバックメッセージには、前記プリアンブルシーケンスに対するフィードバック情報を更に含むことを特徴とする請求項８に記載の方法。
【請求項１０】
前記フィードバックメッセージはランダムアクセスレスポンスＲＡＲであり、前記ランダムアクセスレスポンスＲＡＲには前記端末装置の微調整のためのタイミングアドバンスＴＡ値が含められることを特徴とする請求項９に記載の方法。
【請求項１１】
前記ランダムアクセス情報のコンテンツサイズは異なるランダムアクセスイベントに応じて異なることを特徴とする請求項３に記載の方法。
【請求項１２】
前記ランダムアクセス情報はスケジューリング伝送によりネットワーク装置に送信されることを特徴とする請求項３に記載の方法。
【請求項１３】
前記第１のマッピング関係は前記ネットワーク装置がシステムメッセージにより前記端末装置に指示されることを特徴とする請求項６に記載の方法。
【請求項１４】
端末装置であって、
複数のプリアンブルシーケンスから、前記端末装置がランダムアクセスを行うプリアンブルシーケンスをランダムに選択する処理ユニットと、
第１のメッセージをネットワーク装置に送信し、前記第１のメッセージは前記処理ユニットが選択した前記プリアンブルシーケンス、ランダムアクセス情報、及び前記ランダムアクセス情報のサイズを指示するためのインデックスを含み、前記ランダムアクセス情報は前記端末装置がランダムアクセスイベントに基づいて送信した無線リソース制御ＲＲＣに関連する制御シグナリング又は送信したデータである送信ユニットと、を備えることを特徴とする端末装置。
【請求項１５】
端末装置であって、
プロセッサと、送受信機と、メモリと、を備え、前記メモリは指令を記憶し、前記プロセッサは前記メモリに記憶されている指令を実行し、前記プロセッサが前記メモリに記憶されている指令を実行する時、該実行により、前記端末装置は請求項１〜１３のいずれか一項に記載の方法を実行することを特徴とする端末装置。
【国際調査報告】
2020513172.tif 000014
2020513172.tif 000015
2020513172.tif 000016
2020513172.tif 000017